(57)【要約】【課題】  本発明は釣り用糸巻きケースに関し、釣糸の必要以上の引き出しや不用意なケース内への入り込みをなくし、併せて釣糸に傷やクセをつけることなく保持することができる釣り用糸巻きケースを提供することを目的とする。【解決手段】  請求項１に係る釣り用糸巻きケースは、釣糸を巻回した糸巻きを回転可能に収納し、周面部に糸挿通口が形成された釣り用糸巻きケースに於て、前記糸挿通口に、可撓性を有する一対の板体が前記周面部の周方向に沿って重合した糸止めを装着したことを特徴とする。そして、請求項２に係る発明は、請求項１に記載の釣り用糸巻きケースに於て、前記一対の板体は、糸挿通口の内側に向けて周面部の周方向に沿って互いに向かい合うように糸挿通口に取り付き、互いの先端側が重合していることを特徴とする。【選択図】    図１
2009072126.tif 000002
【特許請求の範囲】
【請求項１】
釣糸を巻回した糸巻きを回転可能に収納し、周面部に糸挿通口が形成された釣り用糸巻きケースに於て、
前記糸挿通口に、可撓性を有する一対の板体が前記周面部の周方向に沿って重合した糸止めを装着したことを特徴とする釣り用糸巻きケース。
【請求項２】
前記一対の板体は、糸挿通口の内側に向けて周面部の周方向に沿って互いに向かい合うように糸挿通口に取り付き、互いの先端側が重合していることを特徴とする請求項１に記載の釣り用糸巻きケース。
【請求項３】
前記一対の板体は、互いに係合する凹凸部を有することを特徴とする請求項１または請求項２に記載の釣り用糸巻きケース。
【発明の詳細な説明】
【技術分野】
【０００１】
本発明は、釣糸の糸巻きを収納する釣り用糸巻きケースに関する。
【背景技術】
【０００２】
特許文献１に開示されるように、従来、ハリス等として使用する釣糸は、図５の如く糸巻き１に巻回されて糸巻きケース３内に収納されており、糸巻き１は糸巻きケース３内に回転可能に収納されている。そして、図５及び図６に示すように糸巻きケース３の側壁５に糸挿通口（糸引き出し口）７が設けられており、釣糸９を使用する際には、糸挿通口７から必要な分だけ釣糸９を引き出して切り取っている。
【０００３】
そして、図７に示すように糸挿通口７には、一端がＶ字状に大きく開いた切れ目１１が形成された弾性材料からなる糸止め１３が、図５の如く側壁５を利用して固定されており、引き出して切り取った釣糸９の糸端部１５を糸止め１３の切れ目１１に挟み付けて、釣糸９が糸巻き１から自然に解けないようにしている。
【特許文献１】実開昭５７−２０３７７０号公報
【発明の開示】
【発明が解決しようとする課題】
【０００４】
しかし乍ら、前記糸巻きケース３は、釣糸９を切れ目１１に挟み付けたまま引き出すものではなく、糸挿通口７と糸止め１３とで形成されるＶ字状の開口部１７に釣糸９を切れ目１１から外し、該開口部１７から必要な分だけ釣糸９を糸巻き１から引き出して使用するものである。
【０００５】
このため、不用意に釣糸９を必要以上に引き出し過ぎてしまうことが多く、また、不注意で釣糸９を切れ目１１に挟み付けるのを忘れてしまうと、釣糸９が糸巻きケース３内に入り込んでしまう等の不具合があった。
【０００６】
また、前記糸巻きケース３は、糸巻き１からの釣糸９の引き出し方向（糸巻き１の接線方向）に沿って釣糸９を切れ目１１で挟み付けるものではないため、釣糸９を切れ目１１に挟み付けると、釣糸９に傷やクセがついてしまう不具合も指摘されていた。
【０００７】
本発明は斯かる実情に鑑み案出されたもので、釣糸の必要以上の引き出しや不用意なケース内への入り込みをなくし、併せて釣糸に傷やクセをつけることなく保持することができる釣り用糸巻きケースを提供することを目的とする。
【課題を解決するための手段】
【０００８】
斯かる目的を達成するため、請求項１に係る釣り用糸巻きケースは、釣糸を巻回した糸巻きを回転可能に収納し、周面部に糸挿通口が形成された釣り用糸巻きケースに於て、前記糸挿通口に、可撓性を有する一対の板体が前記周面部の周方向に沿って重合した糸止めを装着したことを特徴とする。
【０００９】
そして、請求項２に係る発明は、請求項１に記載の釣り用糸巻きケースに於て、前記一対の板体は、糸挿通口の内側に向けて周面部の周方向に沿って互いに向かい合うように糸挿通口に取り付き、互いの先端側が重合していることを特徴とし、請求項３に係る発明は、請求項１または請求項２に記載の釣り用糸巻きケースに於て、前記一対の板体は、互いに係合する凹凸部を有することを特徴とする。
【発明の効果】
【００１０】
各請求項に係る発明によれば、周面部の周方向に沿って重合する一対の板体からなる糸止めによって釣糸の糸端部が保持されるため、斯かる糸止めによって釣糸が引き出し方向に沿って保持されることとなる。
【００１１】
従って、釣糸の引き出しがスムーズに行え、また、必要な分だけ釣糸を引き出して切り取っても、重合した可撓性を有する一対の板体によって糸端部の上下が覆われて保持されているため、不用意に釣糸が糸巻きケースから引き出されることがないし、不用意に釣糸が糸巻きケース内に入り込んでしまうこともない。
【００１２】
また、既述したように周面部の周方向に沿って重合する一対の板体からなる糸止めによって釣糸が保持されるため、釣糸の引き出し時や、非使用時に釣糸の糸端部を重合部に保持していても、糸止めによって釣糸に傷付きやクセ付けがつくことがないし、糸端部は外方へ突出せずに、周面部に沿って糸止めで保持されるため、糸端部に物が引っ掛かって釣糸が不用意に引き出されてしまうこともない。
【００１３】
そして、請求項３に係る発明によれば、一対の板体は凹凸部にて係合するため、板体のズレが防止され、この結果、釣糸の引き出しが更にスムーズに行える利点を有する。
【発明を実施するための最良の形態】
【００１４】
以下、本発明の実施形態を図面に基づいて詳細に説明する。
【００１５】
図１乃至図４は請求項１乃至請求項３の一実施形態に係る釣り用糸巻きケース（以下、「糸巻きケース」という）を示し、図１及び図２に於て、２１は釣糸２３が巻回された糸巻きで、該糸巻き２１は、釣糸２３が巻回される筒状の糸巻き胴部２５と、該糸巻き胴部２５の左右両側に一体形成された円盤状のフランジ２７，２９とからなり、糸巻き２１は糸巻きケース３１内に周方向に回転可能に収納されている。そして、糸巻きケース３１の周面部３３に設けた糸挿通口３５から、糸巻き２１を回転させ乍ら釣糸２３を引き出せるようになっている。
【００１６】
図２に示すように糸巻きケース３１は、前記糸巻き２１が収納可能な大きさを有するケース本体（収納体）３７と、該ケース本体３７にヒンジ軸３９を介して開閉自在に取り付く蓋体４１とからなり、ケース本体３７と蓋体４１は硬質な同一の樹脂材料で形成されている。そして、ケース本体３７と蓋体４１は、夫々の周縁に沿って周面壁４３，４５が対向して突設されており、図２の二点鎖線で示すように蓋体４１を閉じると、夫々の周面壁４３，４５の端部が互いに突き当たって、収納した糸巻き２１の糸巻き胴部２５に対向するように前記周面部３３が形成される。
【００１７】
また、前記周面壁４３，４５の端部に、夫々、凹部４７，４９が対向して形成されており、蓋体４１が閉じられたとき、ケース本体３７側の凹部４７と蓋体４１側の凹部４９とで前記糸挿通口３５が形成されている。そして、該糸挿通口３５に、引き出した釣糸２３を保持する糸止め５１が凹部４７，４９の端部に挟持されて装着されている。
【００１８】
図３及び図４に示すように糸止め５１は、糸挿通口３５に取り付けられた可撓性を有する一対の薄い別体の板体５３，５５で形成されており、両板体５３，５５はケース本体３７よりも柔らかい材料で形成されている。
【００１９】
そして、図３に示すように板体５３，５５の後端が、夫々、周面部３３の周方向に沿って糸挿通口３５の前後に設けた凹部５７，５９内に差し込まれて取り付き、板体５３，５５の先端側は、夫々、糸挿通口３５の内側に向けて周面部３３の周方向に沿って互いに向かい合うように突出している。そして、釣糸２３の引き出し方向（図３中、矢印Ａ方向）へ突出する一方の板体５３が外側になり、釣糸２３の引き出し方向と対向するように突出する他方の板体５５が内側になって、夫々の先端部５３ａ，５５ａが糸巻きケース３１の内側と外側に重合している。
【００２０】
このため、糸巻き２１から引き出された釣糸２３は、釣糸２３の引き出し方向に沿って重合する一対の板体５３，５５の先端の重合部６１にて上下が覆われて、この間を通過するようになっている。また、釣糸の太さに応じ、前記重合部６１で挟持されて移動が規制されるようになっている。
【００２１】
そして、内側の板体５５の先端に、釣糸２３を重合部６１に誘導する傾斜面６３が設けられ、外側の板体５３の先端部５３ａは内側の板体５５よりも肉薄に形成されて柔軟性を有し、引き出した釣糸２３に合わせてスムーズに撓るようになっている。
【００２２】
また、図４に示すように重合する板体５３，５５の先端部５３ａ，５５ａに、互いに係合する凹部６５と凸部６７が形成されており、外側の板体５３の裏面側に凹部６５が、これに対向して内側の板体５５の表面側に該凹部６５に係合する凸部６７が形成され、これらが係合して板体５３，５５の左右のズレが防止されている。
【００２３】
更に、前記凸部６７の中央に、溝状の釣糸誘導凹部６９が釣糸２３の引き出し方向に設けられており、該釣糸誘導凹部６９によって、引き出す釣糸２３がぶれたり重合部６１から外れたりしないようになっている。
【００２４】
本実施形態に係る糸巻きケース３１はこのように構成されているから、糸巻きケース３１の非使用時に、重合する板体５３，５５の先端部５３ａ，５５ａに設けた凹部６５と凸部６７が係合して板体５３，５５の左右のズレが防止され、糸巻き２１から引き出されている釣糸２３の糸端部が、周面部３３の周方向に沿って重合する板体５３，５５の先端の重合部６１にて上下が覆われて保持される。そして、糸端部は、凸部６７に設けた釣糸誘導凹部６９によってぶれたり重合部６１から外れることがない。
【００２５】
そして、釣糸２３を使用する際に、板体５３，５５の重合部６１に保持された糸端部を摘んで釣糸２３を糸挿通口３５から引き出すと、内側の板体５５の先端に設けた傾斜面６３によって重合部６１方向に釣糸２３が誘導され、前記釣糸誘導凹部６９に沿って釣糸２３が糸巻きケース３１の外側に引き出される。
【００２６】
このとき、外側の板体５３は釣糸２３の接触に合わせて先端部５３ａが撓り、また、釣糸２３を内側の板体５５側に押圧して引き出し方向を安定させ、釣糸誘導凹部６９から釣糸が外れないようにする。そして、前記凹部６５と凸部６７が係合しているため、板体５３，５５の左右のズレが防止される。
【００２７】
これにより、釣糸２３の引き出しがスムーズに行え、そして、必要な分だけ釣糸２３を引き出して切り取っても、重合した可撓性を有する一対の板体５３，５５によって糸端部の上下が覆われて（釣糸が太ければ上下に挟持されて）保持されているため、不用意に釣糸２３が糸巻きケース３１から引き出されることがないし、不用意に釣糸２３が糸巻きケース３１内に入り込んでしまうこともない。
【００２８】
また、既述したように釣糸２３の引き出し方向に沿って重合する一対の板体５３，５５の先端の重合部６１にて釣糸２３の上下が覆われて保持されるため、特許文献１の従来例と異なり、釣糸２３の引き出し時や、非使用時に釣糸２３の糸端部を該重合部６１に保持していても、糸止め５１によって釣糸２３に傷付きやクセ付けがつくことがない。
【００２９】
更に、釣糸２３の引き出し方向に沿って重合する板体５３，５５の先端の重合部６１にて糸端部が覆われて保持されるため、糸端部は外方へ突出せずに、周面部３３に沿って保持されることとなる。従って、この糸端部に物が引っ掛かることもない。
【００３０】
以上述べたように、本実施形態に係る糸巻きケース３１によれば、釣糸２３のスムーズな引き出しが行えると共に、釣糸２３の必要以上の引き出しや不用意な糸巻きケース３１内への入り込みをなくし、併せて釣糸２３に傷やクセをつけることなく保持することができる利点を有する。
【００３１】
また、既述したように糸端部は外方へ突出せずに、周面部３３に沿って糸止め５１で保持されるため、糸端部に物が引っ掛かって釣糸２３が不用意に引き出されてしまうこともない。
【００３２】
尚、図３に示すように前記実施形態は、一対の板体５３，５５を別体に形成したが、一対の板体５３，５５の先端部５３ａ，５５ａの左右を連設させてこれらを一体的に形成してもよい。また、図４に示すように前記実施形態は、前記周面壁４３，４５の端部に凹部４７，４９を形成して、蓋体４１が閉じられたとき、糸止め５１が凹部４７，４９の端部に挟持される構造としたが、例えばケース本体３７側にのみ凹部４７を形成して、蓋体を閉じたとき、蓋体の周縁部の端部と凹部４７の端部とで糸止めを挟持するように構成してもよく、これらの実施形態によっても、前記実施形態と同様、所期の目的を達成することが可能である。
【図面の簡単な説明】
【００３３】
【図１】請求項１乃至請求項３の一実施形態に係る糸巻きケースの横断面図である。
【図２】糸巻きケースの縦断面図である。
【図３】糸挿通口の拡大横断面図である。
【図４】糸挿通口の拡大縦断面図である。
【図５】従来の糸巻きケースの一部切欠き平面図である。
【図６】糸巻きケースの側面図である。
【図７】糸止め片の全体斜視図である。
【符号の説明】
【００３４】
２１  糸巻き
２３  釣糸
２５  糸巻き胴部
２７，２９  フランジ
３３  周面部
３５  糸挿通口
３７  ケース本体
４１  蓋体
４３，４５  周面壁
４７，４９，５７，５９，６５  凹部
５１  糸止め
５３，５５  板体
５３ａ，５５ａ  先端部
６１  重合部
６３  傾斜面
６７  凸部
６９  釣糸誘導凹部
【図１】
2009072126.tif 000003
【図２】
2009072126.tif 000004
【図３】
2009072126.tif 000005
【図４】
2009072126.tif 000006
【図５】
2009072126.tif 000007
【図６】
2009072126.tif 000008
【図７】
2009072126.tif 000009